【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
昇華性染料を溶解又は微粒子分散させた染色用用材を電子計算機にて管理された色データに基づいて基体上に塗布する第一工程と、
前記染色用用材が塗布された前記基体の塗布面をシリコーン成型品又は熱可塑性ポリウレタン成型品に対向させる第二工程と、
前記基体を加熱することにより前記昇華性染料を昇華させ、前記シリコーン成型品又は前記熱可塑性ポリウレタン成型品の染色予定面に前記昇華性染料を付着させる第三工程と、
前記第三工程にて前記昇華性染料が付着した前記シリコーン成型品又は前記熱可塑性ポリウレタン成型品を，変形が生じず且つ染料が定着可能な所定温度にて加熱して該昇華性染料を定着させる第四工程と、
を有することを特徴とするシリコーン成型品又は熱可塑性ポリウレタン成型品に対する染色方法。
【請求項２】
請求項１のシリコーン成型品又は熱可塑性ポリウレタン成型品に対する染色方法において、
前記第一工程は、前記染色用用材を基体上に塗布する際に、シリコーン成型品又は熱可塑性ポリウレタン成型品の側面を含んだ領域よりも大きく塗布し、
前記第二工程は、前記染色用用材が塗布された前記基体の塗布面をシリコーン成型品又は熱可塑性ポリウレタン成型品に対して、非接触に対向させることを特徴とするシリコーン成型品又は熱可塑性ポリウレタン成型品に対する染色方法。
【請求項３】
請求項１〜２のいずれかのシリコーン成型品又は熱可塑性ポリウレタン成型品に対する染色方法において、
前記シリコーン成型品又は前記熱可塑性ポリウレタン成型品が携帯型電子機器を保護するための保護カバーであることを特徴とするシリコーン成型品又は熱可塑性ポリウレタン成型品に対する染色方法。
【請求項４】
請求項３のシリコーン成型品又は熱可塑性ポリウレタン成型品に対する染色方法において、
第一工程は、一つの前記基体を用いて少なくとも２つ以上の保護カバーに対して前記昇華性染料の付着を同時に行うために該同時に付着される複数の前記保護カバーの染色予定領域よりも大きな領域となる前記基体上の所定領域全体に前記昇華性染料を塗布させることを特徴とするシリコーン成型品又は熱可塑性ポリウレタン成型品に対する染色方法。
【請求項５】
請求項１〜４のいずれかに記載のシリコーン成型品又は熱可塑性ポリウレタン成型品に対する染色方法において、
前記第一工程は、前記昇華性染料を溶解又は微粒子分散させた染色用用材を電子計算機にて管理された色データに基づいて基体上に色濃度が変化するように塗布する工程であって、
前記第二工程は、前記染色用用材が塗布された前記基体の塗布面を真空中にシリコーン成型品又は熱可塑性ポリウレタン成型品に非接触に対向させる工程であって、
前記第三工程は、前記基体を加熱することにより前記昇華性染料を昇華させ、該昇華性染料を前記シリコーン成型品又は前記熱可塑性ポリウレタン成型品に接触させることにより、前記シリコーン成型品又は前記熱可塑性ポリウレタン成型品に濃度勾配を有した状態にて前記昇華性染料を付着させる工程であることを特徴とするシリコーン成型品又は熱可塑性ポリウレタン成型品に対する染色方法。
【請求項６】
請求項５のシリコーン成型品又は熱可塑性ポリウレタン成型品に対する染色方法において、
前記第三工程は、成型品に濃度勾配を有した状態にて前記昇華性染料を付着させることによって、グラフィックデザインを形成させることを特徴とするシリコーン成型品又は熱可塑性ポリウレタン成型品に対する染色方法。
【手続補正２】
【補正対象書類名】明細書
【補正対象項目名】０００７
【補正方法】変更
【補正の内容】
【０００７】
（１）  昇華性染料を溶解又は微粒子分散させた染色用用材を電子計算機にて管理された色データに基づいて基体上に塗布する第一工程と、前記染色用用材が塗布された前記基体の塗布面をシリコーン成型品又は熱可塑性ポリウレタン成型品に対向させる第二工程と、前記基体を加熱することにより昇華性染料を昇華させ、前記シリコーン成型品又は前記熱可塑性ポリウレタン成型品の染色予定面に前記昇華性染料を付着させる第三工程と、前記第三工程にて前記昇華性染料が付着した前記シリコーン成型品又は前記熱可塑性ポリウレタン成型品を，変形が生じず且つ染料が定着可能な所定温度にて加熱して該昇華性染料を定着させる第四工程と、を有することを特徴とする。
（２）  （１）のシリコーン成型品又は熱可塑性ポリウレタン成型品に対する染色方法において、前記第一工程は、前記染色用用材を基体上に塗布する際に、シリコーン成型品又は熱可塑性ポリウレタン成型品の側面を含んだ領域よりも大きく塗布し、前記第二工程は、前記染色用用材が塗布された前記基体の塗布面をシリコーン成型品又は熱可塑性ポリウレタン成型品に対して、非接触に対向させることを特徴とする。
（３）  （１）〜（２）のいずれかのシリコーン成型品又は熱可塑性ポリウレタン成型品に対する染色方法において、前記シリコーン成型品又は前記熱可塑性ポリウレタン成型品が携帯型電子機器を保護するための保護カバーであることを特徴とする。
（４）  （３）のシリコーン成型品又は熱可塑性ポリウレタン成型品に対する染色方法において、第一工程は、一つの前記基体を用いて少なくとも２つ以上の保護カバーに対して前記昇華性染料の付着を同時に行うために該同時に付着される複数の前記保護カバーの染色予定領域よりも大きな領域となる前記基体上の所定領域全体に前記昇華性染料を塗布させることを特徴とする。
（５）  （１）〜（４）のいずれかに記載のシリコーン成型品又は熱可塑性ポリウレタン成型品に対する染色方法において、前記第一工程は、前記昇華性染料を溶解又は微粒子分散させた染色用用材を電子計算機にて管理された色データに基づいて基体上に色濃度が変化するように塗布する工程であって、前記第二工程は、前記染色用用材が塗布された前記基体の塗布面を真空中にシリコーン成型品又は熱可塑性ポリウレタン成型品に非接触に対向させる工程であって、前記第三工程は、前記基体を加熱することにより前記昇華性染料を昇華させ、該昇華性染料を前記シリコーン成型品又は前記熱可塑性ポリウレタン成型品に接触させることにより、前記シリコーン成型品又は前記熱可塑性ポリウレタン成型品に濃度勾配を有した状態にて前記昇華性染料を付着させる工程であることを特徴とする。
（６）  （５）のシリコーン成型品又は熱可塑性ポリウレタン成型品に対する染色方法において、前記第三工程は、成型品に濃度勾配を有した状態にて前記昇華性染料を付着させることによって、グラフィックデザインを形成させることを特徴とする。
【手続補正３】
【補正対象書類名】明細書
【補正対象項目名】００１１
【補正方法】変更
【補正の内容】
【００１１】
染色システムは大別して、パーソナルコンピュータ（電子計算機）３０とインクジェットプリンタ４０（出力手段）からなる印刷基体出力ユニットと、昇華性染料（昇華性染料）が塗布された印刷基体３を加熱して昇華性染料を保護カバー１０に付着させるための真空気相転写機２０と、昇華性染料が付着された保護カバー１０を加熱し定着させるための加熱装置（オーブン）５０を備える。保護カバー１０は携帯型電子機器１００に装着可能な形状で成型された成型物であり、本実施形態では保護カバー１０の材料としてシリコーンまたは熱可塑性ポリウレタン（以下、ＴＰＵと略す）を用いるものとしている。保護カバー１０の形状は携帯型電子機器１００の少なくと裏面、側面を覆うことのできる形状であればよい。本実施形態の染色システムにより染色された保護カバー１０は、図６（ａ），（ｂ）に示すように所望の染色模様１０ａが施されている。染色システムを用いて保護カバー１０を染色する方法については以下に詳細に説明する。
【手続補正４】
【補正対象書類名】明細書
【補正対象項目名】００３３
【補正方法】変更
【補正の内容】
【００３３】
なお、本実施形態においては、染色用用材が塗布された基体の塗布面を真空中にシリコーン成型品又は熱可塑性ポリウレタン成型品に非接触に対向させる構成としたがこれに限定されない。染色用用材が塗布された基体の塗布面を真空中にシリコーン成型品又は熱可塑性ポリウレタン成型品に接触的に対向させる構成としてもよい。接触させた状態にて、染料の昇華を行った場合、デザインデータ（文字、記号、柄等）をぼやけることなく良好に施すことができる。
【手続補正５】
【補正対象書類名】明細書
【補正対象項目名】００３４
【補正方法】変更
【補正の内容】
【００３４】
なお、本実施形態においては、気層法を用いて染色を行っているがこれに限定されない。例えば、熱転写によっても、シリコーン成型品又は熱可塑性ポリウレタン成型品に染色をすることが可能となる。